(57)【要約】【課題】電気的接続が容易で、かつ安定的な接続が可能な照明装置及び照明器具を提供する。【解決手段】実施形態の照明装置は、第１、第２保持部材、発光パネル、第１接続部材及び第１構造体を含む。発光パネルの外縁領域の少なくとも一部は、第１保持部材と第２保持部材との間に設けられる。発光パネルは、基板、第１パッド部及び有機発光層を含む。基板は、第１方向と交差する第２方向に延在する第１パネル辺と、第１パネル辺に沿う第１縁部と、を含む。第１接続部材は、第１保持部材と第２保持部材との間に設けられる。第１構造体は、第１保持部材と第２保持部材との間に設けられる。第１接続部材の第１端部は、第１弾性部を含む。第１弾性部は、第１縁部と第２保持部材との間に設けられ、第１縁部を第１保持部材に向けて押し第１パッド部と電気的に接続される。第１接続部材の第２端部は、第１部分と、第１部分と第１構造体との間に設けられ第１構造体に向かう方向の弾性力を有する第２弾性部と、を含む。【選択図】図１
2016178042.tif 000002
【特許請求の範囲】
【請求項１】
第１保持部材と、
第２保持部材と、
発光パネルであって、前記発光パネルの外縁領域の少なくとも一部は、前記第１保持部材と前記第２保持部材との間に設けられ、
前記発光パネルは、
前記第１保持部材から前記第２保持部材に向かう第１方向と交差する第２方向に延在する第１パネル辺と、前記第１パネル辺に沿う第１縁部と、を含む基板と、
前記第１縁部の上に設けられ前記第２方向に沿って延在する第１パッド部と、
前記第１パッド部と電気的に接続された有機発光層と、
を含む前記発光パネルと、
前記第１保持部材と前記第２保持部材との間に設けられた導電性の第１接続部材と、
前記第１保持部材と前記第２保持部材との間に設けられた第１構造体と、
を備え、
前記第１接続部材の第１端部は、第１弾性部を含み、前記第１弾性部は、前記第１縁部と前記第２保持部材との間に設けられ、前記第１縁部を前記第１保持部材に向けて押し前記第１パッド部と電気的に接続され、
前記第１接続部材の第２端部は、第１部分と、前記第１部分と前記第１構造体との間に設けられ前記第１構造体に向かう方向の弾性力を有する第２弾性部と、
を含む、照明装置。
【請求項２】
前記第１弾性部は、前記第２方向に沿って延在し、
前記第２弾性部から前記第１構造体に向かう方向は、前記第２方向に沿い、
前記第１保持部材は、
前記第２方向に延在する第１保持部材辺と、
前記第１方向と前記第２方向と交差する第３方向において前記第１保持部材辺と離間し前記第２方向に延在する第２保持部材辺と、
前記第３方向に延在する第３保持部材辺と、
前記第２方向において前記第３保持部材辺と離間し前記第３方向に延在する第４保持部材辺と、
を含み、
前記発光パネルは、前記第１保持部材辺と前記第２保持部材辺との間、及び、前記第３保持部材辺と前記第４保持部材辺との間に位置し、
前記第１縁部と前記第１保持部材辺との間の距離は、前記第１縁部と前記第２保持部材辺との間の距離よりも短く、
前記第１構造体と前記第２弾性部との間の距離は、前記第１保持部材辺から前記第１縁部に向かう方向に沿って減少する、請求項１記載の照明装置。
【請求項３】
前記第１弾性部は、前記第２方向に沿って延在し、
前記第２弾性部から前記第１構造体に向かう方向は、前記第２方向と交差する方向に沿い、
前記第１保持部材は、
前記第２方向に延在する第１保持部材辺と、
前記第１方向と前記第２方向と交差する第３方向において前記第１保持部材辺と離間し前記第２方向に延在する第２保持部材辺と、
前記第３方向に延在する第３保持部材辺と、
前記第２方向において前記第３保持部材辺と離間し前記第３方向に延在する第４保持部材辺と、
を含み、
前記発光パネルは、前記第１保持部材辺と前記第２保持部材辺との間、及び、前記第３保持部材辺と前記第４保持部材辺との間に位置し、
前記第１接続部材と前記第３保持部材辺との間の距離は、前記第１接続部材と前記第４保持部材辺との間の距離よりも短く、
前記第１構造体と前記第２弾性部との間の距離は、前記第３保持部材辺から前記発光パネルに向かう方向に沿って減少する、請求項１記載の照明装置。
【請求項４】
前記第１保持部材と前記第２保持部材との間に設けられた導電性の第２接続部材と、
前記第１保持部材と前記第２保持部材との間に設けられた第２構造体と、
をさらに備え、
前記基板は、
第２パネル辺と、
第２縁部と、
をさらに含み、
前記第２パネル辺は、前記第１方向及び前記第２方向と交差する方向において前記第１パネル辺と離間し、前記第２方向に延在し、  
前記第２縁部３１ｂは、前記第２パネル辺に沿い、
前記発光パネルは、前記第２縁部の上に設けられ前記第２方向に沿って延在する第２パッド部をさらに含み、
前記有機発光層の一端が前記第１パッド部と電気的に接続され、前記有機発光層の他端が前記第２パッド部と電気的に接続され、
前記第２接続部材の少なくとも一部は、前記第１方向及び前記第２方向と交差する前記方向において前記第１接続部材の少なくとも一部と重なり、
前記第２接続部材の第３端部は、第３弾性部を含み、前記第３弾性部は、前記第２縁部と前記第２保持部材との間に設けられ、前記第２縁部を前記第１保持部材に向けて押し前記第２パッド部と電気的に接続され、
前記第２接続部材の第４端部は、第２部分と、前記第２部分と前記第２構造体との間に設けられ前記第２構造体に向かう方向の弾性力を有する第４弾性部と、
を含む、請求項１〜３のいずれか１つに記載の照明装置。
【請求項５】
前記第１保持部材と前記第２保持部材との間に設けられた導電性の第３接続部材と、
前記第１保持部材と前記第２保持部材との間に設けられた第３構造体と、
をさらに備え、
前記第３接続部材の少なくとも一部は、前記第２方向において前記第１接続部材の少なくとも一部と重なり、
前記第３接続部材の第５端部は、第５弾性部を含み、前記第５弾性部は、前記第１縁部と前記第２保持部材との間に設けられ、前記第１縁部を前記第１保持部材に向けて押し前記第１パッド部と電気的に接続され、
前記第３接続部材の第６端部は、第３部分と、前記第３部分と前記第３構造体との間に設けられ前記第３構造体に向かう方向の弾性力を有する第６弾性部と、
を含む、請求項１〜３のいずれか１つに記載の照明装置。
【請求項６】
第１保持部材と、
第２保持部材と、
発光パネルであって、前記発光パネルの外縁領域の少なくとも一部は、前記第１保持部材と前記第２保持部材との間に設けられ、
前記発光パネルは、
前記第１保持部材から前記第２保持部材に向かう第１方向と交差する第２方向に延在する第１パネル辺と、前記第１パネル辺に沿う第１縁部と、を含む基板と、
前記第１縁部の上に設けられ前記第２方向に沿って延在する第１パッド部と、
前記第１パッド部と電気的に接続された有機発光層と、
を含む前記発光パネルと、
前記第１保持部材と前記第２保持部材との間に設けられた導電性の第１接続部材と、
を備え、
前記第１接続部材の第１端部は、第１弾性部を含み、前記第１弾性部は、前記第１縁部と前記第２保持部材との間に設けられ、前記第１縁部を前記第１保持部材に向けて押し前記第１パッド部と電気的に接続され、
前記第１接続部材の第２端部は、第１部分と、前記第１部分と前記第１保持部材との間に設けられ前記第１保持部材に向かう方向の弾性力を有する第２弾性部と、
を含む、照明装置。
【請求項７】
第１保持部材と、
第２保持部材と、
発光パネルであって、前記発光パネルの外縁領域の少なくとも一部は、前記第１保持部材と前記第２保持部材との間に設けられ、
前記発光パネルは、
前記第１保持部材から前記第２保持部材に向かう第１方向と交差する第２方向に延在する第１パネル辺と、前記第１パネル辺に沿う第１縁部と、を含む基板と、
前記第１縁部の上に設けられ前記第２方向に沿って延在する第１パッド部と、
前記第１パッド部と電気的に接続された有機発光層と、
を含む前記発光パネルと、
前記第１保持部材と前記第２保持部材との間に設けられた導電性の第１接続部材と、
を備え、
前記第１接続部材の第１端部は、第１弾性部を含み、前記第１弾性部は、前記第１縁部と前記第２保持部材との間に設けられ、前記第１縁部を前記第１保持部材に向けて押し前記第１パッド部と電気的に接続され、
前記第１接続部材の第２端部は、第１部分と、前記第１部分と前記第２保持部材との間に設けられ前記第２保持部材に向かう方向の弾性力を有する第２弾性部と、
を含む、照明装置。
【請求項８】
請求項１〜７のいずれか１つに記載の複数の照明装置を備え、
前記複数の照明装置は、前記第１方向及び前記第２方向と交差する方向に沿って並ぶ、照明器具。
【発明の詳細な説明】
【技術分野】
【０００１】
本発明の実施形態は、照明装置及び照明器具に関する。
【背景技術】
【０００２】
ガラスやフィルムなどの基材からなる有機ＥＬ発光パネルを用いた照明装置が開発されている。このような照明装置では、有機ＥＬ発光パネルの電極との接続が不安定になりやすく、動作が不安定になるため、信頼性も劣化する。電気的接続が容易で、かつ安定的な接続が可能な照明装置及び照明器具が望まれている。
【先行技術文献】
【特許文献】
【０００３】
【特許文献１】特許４２９３３１４号公報
【発明の概要】
【発明が解決しようとする課題】
【０００４】
本発明の実施形態は、電気的接続が容易で、かつ安定的な接続が可能な照明装置及び照明器具を提供する。
【課題を解決するための手段】
【０００５】
本発明の実施形態によれば、第１保持部材と、第２保持部材と、発光パネルと、導電性の第１接続部材と、第１構造体と、を含む照明装置が提供される。前記発光パネルの外縁領域の少なくとも一部は、前記第１保持部材と前記第２保持部材との間に設けられる。前記発光パネルは、基板と、第１パッド部と、有機発光層と、を含む。前記基板は、前記第１保持部材から前記第２保持部材に向かう第１方向と交差する第２方向に延在する第１パネル辺と、前記第１パネル辺に沿う第１縁部と、を含む。前記第１パッド部は、前記第１縁部の上に設けられ前記第２方向に沿って延在する。前記有機発光層は、前記第１パッド部と電気的に接続される。前記第１接続部材は、前記第１保持部材と前記第２保持部材との間に設けられる。前記第１構造体は、前記第１保持部材と前記第２保持部材との間に設けられる。前記第１接続部材の第１端部は、第１弾性部を含む。前記第１弾性部は、前記第１縁部と前記第２保持部材との間に設けられ、前記第１縁部を前記第１保持部材に向けて押し前記第１パッド部と電気的に接続される。前記第１接続部材の第２端部は、第１部分と、前記第１部分と前記第１構造体との間に設けられ前記第１構造体に向かう方向の弾性力を有する第２弾性部と、を含む。
【発明の効果】
【０００６】
本発明の実施形態によれば、電気的接続が容易で、かつ安定的な接続が可能な照明装置及び照明器具が提供される。
【図面の簡単な説明】
【０００７】
【図１】図１（ａ）〜図１（ｃ）は、第１の実施形態に係る照明装置を例示する模式図である。
【図２】図２（ａ）〜図２（ｃ）は、第１の実施形態に係る照明装置を例示する模式図である。
【図３】図３（ａ）〜図３（ｆ）は、第１の実施形態に係る照明装置を例示する模式図である。
【図４】第１の実施形態に係る照明装置の一部を例示する模式図である。
【図５】図５（ａ）〜図５（ｃ）は、第２の実施形態に係る照明装置を例示する模式図である。
【図６】図６（ａ）〜図６（ｄ）は、第２の実施形態に係る照明装置を例示する模式図である。
【図７】図７（ａ）〜図７（ｃ）は、第３の実施形態に係る照明装置を例示する模式図である。
【図８】図８（ａ）〜図８（ｄ）は、第３の実施形態に係る照明装置を例示する模式図である。
【図９】図９（ａ）〜図９（ｃ）は、実施形態に係る照明装置の一部を例示する模式図である。
【図１０】実施形態に係る照明装置の一部を例示する模式図である。
【図１１】図１１（ａ）及び図１１（ｂ）は、第４の実施形態に係る照明装置の一部を例示する模式図である。
【図１２】図１２（ａ）〜図１２（ｃ）は、第５の実施形態に係る照明装置を例示する模式図である。
【図１３】図１３（ａ）及び図１３（ｂ）は、第６の実施形態に係る照明器具を例示する模式的平面図である。
【図１４】図１４（ａ）及び図１４（ｂ）は、第６の実施形態に係る別の照明器具を例示する模式的平面図である。
【図１５】第６の実施形態に係る別の照明器具の一部を例示する模式的平面図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
図１（ａ）〜図１（ｃ）は、第１の実施形態に係る照明装置を例示する模式図である。  図１（ａ）は、平面図である。図１（ｂ）及び図１（ｃ）は、側面図である。  
本実施形態に係る照明装置１５０ａは、第１保持部材１０と、第２保持部材２０と、発光パネル３０と、第１接続部材５１と、を含む。
【００１０】
図２（ａ）〜図２（ｃ）は、第１の実施形態に係る照明装置を例示する模式図である。  図２（ａ）は、図１（ａ）のＡ１−Ａ２線断面図である。図２（ｂ）は、発光パネル３０の一部を拡大して示す断面図である。図２（ｃ）は、発光パネル３０を示す平面図である。
【００１１】
図２（ａ）に示すように、発光パネル３０の外縁領域３０ｒの少なくとも一部は、第１保持部材１０と第２保持部材２０との間に設けられる。
【００１２】
第１接続部材５１は、第１保持部材１０と第２保持部材２０との間に設けられ、導電性である。
【００１３】
第１保持部材１０から第２保持部材２０に向かう方向を第１方向とする。第１方向をＺ軸方向とする。Ｚ軸方向に対して垂直な１つの方向をＸ軸方向とする。Ｚ軸方向及びＸ軸方向に対して垂直な方向をＹ軸方向とする。
【００１４】
発光パネル３０は、基板３１と、第１パッド部４１と、有機発光層３３と、を含む。
【００１５】
基板３１は、第１パネル辺３１ｓａと、第１縁部３１ａと、を含む。第１パネル辺３１ｓａは、第２方向に延在する。第２方向は、第１方向（Ｚ軸方向）と交差する。この例では、第２方向は、Ｘ軸方向である。第１縁部３１ａは、第１パネル辺３１ｓａに沿う。
【００１６】
第１パッド部４１は、第１縁部３１ａの上に設けられ、第２方向に沿って延在する。
【００１７】
有機発光層３３は、第１パッド部４１と電気的に接続されている。
【００１８】
この例では、基板３１は、第２パネル辺３１ｓｂと、第２縁部３１ｂと、をさらに含む。第２パネル辺３１ｓｂは、第１方向及び第２方向と交差する方向（この例では、Ｙ軸方向）において、第１パネル辺３１ｓａと離間している。第２パネル辺３１ｓｂは、第２方向（Ｘ軸方向）に延在する。第２縁部３１ｂは、第２パネル辺３１ｓｂに沿っている。
【００１９】
発光パネル３０は、第２パッド部４２をさらに含む。第２パッド部４２は、第２縁部３１ｂの上に設けられ、第２方向（Ｘ軸方向）に沿って延在する。
【００２０】
有機発光層３３の一端が、第１パッド部４１と電気的に接続され、有機発光層３３の他端が、第２パッド部４２と電気的に接続される。
【００２１】
第１パッド部４１及び第２パッド部４２には、例えば、金属層などが用いられる。これにより、低い抵抗が得られる。発光パネル３０において、発光の均一性が高まる。
【００２２】
図２（ｂ）に示すように、発光パネル３０は、第１導電層４１ｅと、第２導電層４２ｅと、第１キャリア注入層３４と、第２キャリア注入層３２と、をさらに含む。第１導電層４１ｅは、第１パッド部４１と電気的に接続されている。第１導電層４１ｅは、第１パッド部４１と連続的でも良い。第２導電層４２ｅは、第２パッド部４２と電気的に接続されている。第２導電層４２ｅは、第２パッド部４２と連続的でも良い。
【００２３】
第１導電層４１ｅと第２導電層４２ｅとの間に有機発光層３３が設けられる。第１導電層４１ｅと有機発光層３３との間に、第１キャリア注入層３４が設けられる。第２導電層４２ｅと有機発光層３３との間に、第２キャリア注入層３２が設けられる。
【００２４】
第１導電層４１ｅは、例えば、陰極及び陽極の一方である。第２導電層４２ｅは、陰極及び陽極の他方である。これらの導電層は、第１方向（Ｚ軸方向）において、有機発光層３３と重なる。
【００２５】
第１パッド部４１及び第２パッド部４２に電圧を加えることで、有機発光層３３に電流が流れ、有機発光層３３から光が放出される。発光パネル３０は、電荷輸送層をさらに含んでも良い。
【００２６】
発光パネル３０は、封止部３５をさらに含んでいる。封止部３５と基板３１との間に、有機発光層３３が配置される。封止部３５により、信頼性が向上できる。
【００２７】
図１（ａ）に示すように、照明装置１５０ａは、第２接続部材５２をさらに含む。第２接続部材５２は、第１保持部材１０と第２保持部材２０との間に設けられ、導電性である。
【００２８】
後述するように、第１接続部材５１は、第１パッド部４１と接し、第１パッド部４１と電気的に接続される。第２接続部材５２は、第２パッド部４２と接し、第２パッド部４２と電気的に接続される。第１接続部材５１及び第２接続部材５２が、照明装置１５０ａの電気的な入力端子となる。
【００２９】
この例では、第３接続部材５３がさらに設けられている。例えば、第１パッド部４１の一端に第１接続部材５１が接触し、第１パッド部４１の他端に第３接続部材５３が接触する。第２パッド部４２の一端に第２接続部材５２が接触し、第２パッド部４２の他端に、別の接続部材５１Ａが接触する。第３接続部材５３、及び、上記の別の接続部材５１Ａも、第１保持部材１０と第２保持部材２０との間に設けられる。
【００３０】
図１（ａ）に示すように、第２接続部材５２の少なくとも一部は、第１方向及び第２方向と交差する方向（例えばＹ軸方向）において、第１接続部材５１の少なくとも一部と重なる。第３接続部材５３の少なくとも一部は、第２方向（例えばＸ軸方向）において、第１接続部材５１の少なくとも一部と重なる。これらの接触部材については、後述する。
【００３１】
この例では、図１（ａ）に示すように、第１保持部材１０は、第１保持部材辺１０ｓａと、第２保持部材辺１０ｓｂと、第３保持部材辺１０ｓｃと、第４保持部材辺１０ｓｄと、を含む。第１保持部材辺１０ｓａは、第２方向（Ｘ軸方向）に延在する。第２保持部材辺１０ｓｂは、第３方向（第１方向と第２方向と交差する方向であり、この例では、Ｙ軸方向）において、第１保持部材辺１０ｓａと離間し、第２方向に延在する。第３保持部材辺１０ｓｃは、第３方向に延在する。第４保持部材辺１０ｓｄは、第２方向（Ｘ軸方向）において第３保持部材辺１０ｓｃと離間し、第３方向（Ｙ軸方向）に延在する。
【００３２】
発光パネル３０は、第１保持部材辺１０ｓａと第２保持部材辺１０ｓｂとの間、及び、第３保持部材辺１０ｓｃと第４保持部材辺１０ｓｄとの間に位置する。第１縁部３１ａと第１保持部材辺１０ｓａとの間の距離は、第１縁部３１ａと第２保持部材辺１０ｓｂとの間の距離よりも短い。第２縁部３１ｂと第１保持部材辺１０ｓａとの間の距離は、第２縁部３１ｂと第２保持部材辺１０ｓｂとの間の距離よりも長い。すなわち、第１保持部材辺１０ｓａは、第１縁部３１ａの側の辺である。第２保持部材辺１０ｓｂは、第２縁部３１ｂの側の辺である。
【００３３】
この例では、第３保持部材辺１０ｓｃには、取り付け孔部１５ａ及び１５ｂが設けられている。第４保持部材辺１０ｓｄには、取り付け孔部１５ｃ及び１５ｄが設けられている。例えば、第１保持部材辺１０ｓａを基準にしたときに、取り付け孔部１５ａのＹ軸方向上の位置が、取り付け孔部１５ｃのＹ軸方向上の位置と異なっても良い。取り付け孔部１５ａのＹ軸方向上の位置が、取り付け孔部１５ｄのＹ軸方向上の位置と異なっても良い。取り付け孔部１５ｂのＹ軸方向上の位置が、取り付け孔部１５ｃのＹ軸方向上の位置と異なっても良い。取り付け孔部１５ｂのＹ軸方向上の位置が、取り付け孔部１５ｄのＹ軸方向上の位置と異なっても良い。取り付け孔部の配置が非対称である。これにより、照明装置１５０ａを他の部材に固定する際に設置状態を間違えることが、抑制できる。
【００３４】
図１（ｂ）及び図１（ｃ）に示すように、照明装置１５０ａの主面は、実質的に平坦である。照明装置１５０ａの主面は、例えば、平坦な板状である。これにより、照明装置１５０ａの実装が便利になり、用途の制限が抑制される。
【００３５】
すなわち、図２（ａ）に示すように、第１保持部材１０は、第１面１０ｆａと、第２面１０ｆｂと、を有する。第１面１０ｆａは、発光パネル３０に対向する。第２面１０ｆｂは、第１面１０ｆａとは反対側の面である。第２保持部材２０は、第３面２０ｆａと、第４面２０ｆｂと、を有する。第３面２０ｆａは、発光パネル３０に対向する。第４面２０ｆｂは、第３面２０ｆａとは反対側の面である。第２面１０ｆｂは、実質的に平坦である。第４面２０ｆｂは、実質的に平坦である。第２面１０ｆｂの平坦性は、第１面１０ｆａの平坦性よりも高い。第４面２０ｆｂの平坦性は、第３面２０ｆａの平坦性よりも高い。
【００３６】
第１保持部材１０及び第２保持部材２０は、例えば光透過性である。第１保持部材１０及び第２保持部材２０は、例えば透明である。発光パネル３０から放出された光は、例えば、第１保持部材１０及び第２保持部材２０の少なくともいずれかを介して、外部に出射する。第１保持部材１０及び第２保持部材２０を介して、接続部材を見ることが可能である。
【００３７】
以下、接続部材の例について説明する。
【００３８】
図３（ａ）〜図３（ｆ）は、第１の実施形態に係る照明装置を例示する模式図である。  図４は、第１の実施形態に係る照明装置の一部を例示する模式図である。
図３（ａ）は、第１接続部材５１を示す斜視図である。図３（ｂ）は、第２接続部材５２を示す斜視図である。第３接続部材５３は、第２接続部材５２と同様の構成を有することができる。図３（ｂ）は、第３接続部材５３も示している。図３（ｃ）は、図３（ｄ）のＢ１−Ｂ２線断面図である。図３（ｄ）は、照明装置１５０ａのうちの第１縁部３１ａを含む一部を拡大して示す平面図（透視図）である。図３（ｅ）は、図３（ｆ）のＣ１−Ｃ２線断面図である。図３（ｆ）は、照明装置１５０ａのうちの第２縁部３１ｂを含む一部を拡大して示す平面図（透視図）である。図４は、図３（ｄ）のＡＡ方向から見たときの第１縁部３１ａを含む一部を示す斜視図である。
【００３９】
本実施形態に係る照明装置１５０ａは、第１接続部材５１と、第２接続部材５２と、第３接続部材５３と、さらに、第１構造体１１と、第２構造体１２と、第３構造体１３と、を含む。
【００４０】
第１構造体１１、第２構造体１２及び第３構造体１３のそれぞれは、第１保持部材１０と、第２保持部材２０と、の間に設けられる。例えば、第１構造体１１は、第１接続部材５１と対向して設けられる。第２構造体１２は、第２接続部材５２と対向して設けられる。第３構造体１３は、第３接続部材５３と対向して設けられる。
【００４１】
第１構造体１１、第２構造体１２及び第３構造体１３のそれぞれは、第１保持部材１０と一体的に設けられていてもよい。例えば、これら第１構造体１１、第２構造体１２及び第３構造体１３は、第１保持部材１０と所定のプロセス条件に従って一体形成される。第１構造体１１、第２構造体１２及び第３構造体１３のそれぞれは、例えば、第１保持部材１０に設けられた凸部である。第１構造体１１、第２構造体１２及び第３構造体１３のそれぞれは、第２保持部材２０と一体的に設けられてもよい。第１構造体１１、第２構造体１２及び第３構造体１３のそれぞれは、例えば、第２保持部材２０に設けられた凸部である。第１構造体１１、第２構造体１２及び第３構造体１３のそれぞれは、第１保持部材１０及び第２保持部材２０とは別部材としてもよい。
【００４２】
図３（ａ）に示すように、第１接続部材５１は、第１端部５１ａと、第２端部５１ｂと、を含む。
【００４３】
第１端部５１ａは、第１弾性部５１ｅａを含む。第１弾性部５１ｅａは、例えば、板バネである。第２端部５１ｂは、第１部分５１ｐと、第２弾性部５１ｅｂと、を有する。第２弾性部５１ｅｂは、第１部分５１ｐと第１構造体１１との間に設けられる。第２弾性部５１ｅｂは、第１構造体１１に向かう方向の弾性力を有する。第２弾性部５１ｅｂは、例えば、板バネである。第１構造体１１と第２弾性部５１ｅｂとの間に、配線（図示しない）が挿入されることが可能である。配線は、第１構造体１１と第２弾性部５１ｅｂとにより挟まれ、固定される。配線は、第１構造体１１と第２弾性部５１ｅｂとによって加わる弾性力により、抜け難い。配線の挿入は簡単であり、作業性が高い。確実な接続が得られる。第２端部５１ｂは、例えば、ねじ無し接続部である。
【００４４】
図３（ｂ）に示すように、第２接続部材５２は、第３端部５２ａと、第４端部５２ｂと、を含む。
【００４５】
第３端部５２ａは、第３弾性部５２ｅａを含む。第３弾性部５２ｅａは、例えば、板バネである。第４端部５２ｂは、第２部分５２ｐと、第４弾性部５２ｅｂと、を有する。第４弾性部５２ｅｂは、第２部分５２ｐと第２構造体１２との間に設けられる。第４弾性部５２ｅｂは、第２構造体１２に向かう方向の弾性力を有する。第４弾性部５２ｅｂは、例えば、板バネである。第２構造体１２と第４弾性部５２ｅｂとの間に、配線（図示しない）が挿入されることが可能である。配線は、第２構造体１２と第４弾性部５２ｅｂとにより挟まれ、固定される。配線は、第２構造体１２と第４弾性部５２ｅｂとによって加わる弾性力により、抜け難い。
【００４６】
同様に、第３接続部材５３は、第５端部５３ａと、第６端部５３ｂと、を含む。第５端部５３ａは、第５弾性部５３ｅａを含む。第５弾性部５３ｅａは、例えば、板バネである。第６端部５３ｂは、第３部分５３ｐと、第６弾性部５３ｅｂと、を有する。第６弾性部５３ｅｂは、第３部分５３ｐと第３構造体１３との間に設けられる。第６弾性部５３ｅｂは、第３構造体１３に向かう方向の弾性力を有する。第６弾性部５３ｅｂは、例えば、板バネである。第３構造体１３と第６弾性部５３ｅｂとの間に、配線（図示しない）が挿入されることが可能である。配線は、第３構造体１３と第６弾性部５３ｅｂとにより挟まれ、固定される。配線は、第３構造体１３と第６弾性部５３ｅｂとによって加わる弾性力により、抜け難い。
【００４７】
図３（ｃ）に示すように、第１接続部材５１の第１弾性部５１ｅａは、第１縁部３１ａと第２保持部材２０との間に設けられる。第１弾性部５１ｅａは、第１縁部３１ａを第１保持部材１０に向けて押す。第１弾性部５１ｅａは、第１パッド部４１と電気的に接続される。第１弾性部５１ｅａは、第１パッド部４１と接する。
【００４８】
図３（ｃ）に示すように、第３接続部材５３の第５弾性部５３ｅａは、第１縁部３１ａと第２保持部材２０との間に設けられる。第５弾性部５３ｅａは、第１パッド部４１（及び第１縁部３１ａ）を第１保持部材１０に向けて押す。第５弾性部５３ｅａは、第１パッド部４１と電気的に接続される。第５弾性部５３ｅａは、第１パッド部４１と接する。
【００４９】
図３（ｅ）に示すように、第２接続部材５２の第３弾性部５２ｅａは、第２縁部３１ｂと第２保持部材２０との間に設けられる。第３弾性部５２ｅａは、第２パッド部４２（及び第２縁部３１ｂ）を第１保持部材１０に向けて押す。第３弾性部５２ｅａは、第２パッド部４２と電気的に接続される。第３弾性部５２ｅａは、第２パッド部４２と接する。
【００５０】
図３（ｄ）に示すように、第１接続部材５１の第２端部５１ｂに対応する位置において、第１保持部材１０に孔１０ｈが設けられている。図３（ｆ）に示すように、第２接続部材５２の第４端部５２ｂに対応する位置において、第１保持部材１０に孔１０ｈが設けられている。図３（ｄ）に示すように、第３接続部材５２の第６端部５３ｂに対応する位置において、第１保持部材１０に孔１０ｈが設けられている。
【００５１】
図３（ｄ）に示すように、第１接続部材５１の第１弾性部５１ｅａは、第２方向（Ｘ軸方向）に沿って延在する。そして、第２弾性部５１ｅｂから第１構造体１１に向かう方向は、第２方向に沿う。第１構造体１１と第２弾性部５１ｅｂとの間の距離は、第１保持部材辺１０ｓａから第１縁部３１ａに向かう方向に沿って減少する。  
すなわち、配線は、図３（ｄ）の下側方向から、第１構造体１１と第２弾性部５１ｅｂとの間に挿入される。
【００５２】
図３（ｆ）に示すように、第２接続部材５２の第３弾性部５２ｅａは、第２方向（Ｘ軸方向）に沿って延在する。そして、第４弾性部５２ｅｂから第２構造体１２に向かう方向は、第２方向に沿う。第２構造体１２と第４弾性部５２ｅｂとの間の距離は、第２保持部材辺１０ｓｂから第２縁部３１ｂに向かう方向に沿って減少する。  
すなわち、配線は、図３（ｆ）の上側方向から、第２構造体１２と第４弾性部５２ｅｂとの間に挿入される。
【００５３】
図３（ｄ）に示すように、第３接続部材５３の第５弾性部５３ｅａは、第２方向（Ｘ軸方向）に沿って延在する。そして、第６弾性部５３ｅｂから第３構造体１３に向かう方向は、第２方向に沿う。第３構造体１３と第６弾性部５３ｅｂとの間の距離は、第１保持部材辺１０ｓａから第１縁部３１ａに向かう方向に沿って減少する。  
すなわち、配線は、図３（ｄ）の下側方向から、第３構造体１３と第６弾性部５３ｅｂとの間に挿入される。
【００５４】
第１接続部材５１、第２接続部材５２及び第３接続部材５３には、例えば金属板（または、金属シートまたは金属線）などが用いられる。適切な弾性と、低い抵抗が得られる。
【００５５】
照明装置１５０ａにおいては、発光パネル３０は、第１接続部材５１の第１弾性部５１ｅａ、第２接続部材５２の第３弾性部５２ｅａ、及び、第３接続部材５３の第５弾性部５３ｅａにより、第１保持部材１０に固定される。それと同時に、第１パッド部４１が、第１弾性部５１ｅａと接続される。第２パッド部４２が、第３弾性部５２ｅａと接続される。第１パッド部４１の別の一部は、第５弾性部５３ｅａと接続される。発光パネル３０の固定と共に、電気的接続が得られる。
【００５６】
一方、第１接続部材５１の第２端部５１ｂ（第１構造体１１と第２弾性部５１ｅｂ）により配線が固定される。第２接続部材５２の第４端部５２ｂ（第２構造体１２と第４弾性部５２ｅｂ）により、別の配線が固定される。第３接続部材５３の第６端部５３ｂ（第３構造体１３と第６弾性部５３ｅｂ）により、別の配線が固定される。これらの配線の設置は簡単であり、かつ、配線は確実に固定される。なお、別の接続部材５１Ａについても同様に構造体と弾性部とにより配線が固定される。
【００５７】
実施形態によれば、発光パネル３０の電気的接続が確実に実施できる。そして、配線の接続も確実になる。これにより、電気的接続が容易で、かつ安定的な接続が可能な照明装置が提供できる。
【００５８】
例えば、発光パネル３０の接続に、はんだ、または、導電性樹脂などを用いる場合には、接続の強度が不十分な場合がある。そして、信頼性が不十分な場合がある。これに対して、実施形態によれば、接続の強度は高く、信頼性も高い。
【００５９】
第１接続部材５１において、第１端部５１ａと第２端部５１ｂとは、互いに連続的である。第１端部５１ａと第２端部５１ｂとは、一体的に形成できる。第２接続部材５２において、第３端部５２ａと第４端部５２ｂとは、互いに連続的である。第３端部５２ａと第４端部５２ｂとは、一体的に形成できる。第３接続部材５３において、第５端部５３ａと第６端部５３ｂとは、互いに連続的である。第５端部５３ａと第６端部５３ｂとは、一体的に形成できる。これにより、付加的な配線部材が省略できる。
【００６０】
発光パネル３０の電気的接続のための第１の部材と、配線の接続のための第２部材と、が、互いに別に設けられる参考例がある。この参考例においては、第１の部材と第２部材とを接続するための第３の部材が必要となる。実施形態においては、接続部材が一体的であるため、部材が省略できることに加えて、接続の確実性が高い。
【００６１】
第１接続部材５１の第２端部５１ｂは、第１保持部材辺１０ｓａの延長線から、第３方向（Ｙ軸方向）において離間している。すなわち、第１接続部材５１は、第１保持部材１０と第２保持部材２０との間にあり、露出していない。
【００６２】
既に説明したように、実施形態に係る上記の接続部材は、第１保持部材１０と第２保持部材２０との間に設けられる。これらの接続部材は、露出していない。このため、安全性が高い。
【００６３】
第１保持部材１０と第２保持部材２０とが、光透過性である場合、これらの接続部材が見える。これらの接続部材に配線を挿入したときに、配線と接続部材との接触状態が見える。これにより、配線の設置が確実に実施できる。検査が容易である。
【００６４】
実施形態に係る照明装置１５０ａは、フラット型の照明装置である。第１保持部材１０及び第２保持部材２０の少なくともいずれかは、光透過性を有する。これにより、発光パネル３０から放出された光が外部に出射する。そして、それと同時に、光透過性の保持部材を介して、配線の設置状態が確認でき、より確実な接続が得られる。
【００６５】
照明装置１５０ａにおいて、第１接続部材５１と第３保持部材辺１０ｓｃとの間の距離は、第１接続部材５１と第４保持部材辺１０ｓｄとの間の距離よりも短い。すなわち、第１接続部材５１は、第３保持部材辺１０ｓｃの側に配置される。
【００６６】
第２弾性部５２ｅｂの少なくとも一部は、発光パネル３０の一部と、第３保持部材辺１０ｓｃとの間に設けられる。すなわち、第２弾性部５２ｅｂの少なくとも一部は、Ｙ軸方向において、発光パネル３０と重ならない。これにより、照明装置１５０ａのＹ軸方向の長さを短くできる。例えば、複数の照明装置１５０ａをＹ軸方向に沿って並べたときに、発光パネル３０どうしの距離を短くできる。発光パネル３０どうしの隙間を小さくできる。
【００６７】
図１（ａ）に示すように、本実施形態においては、接続部材が、照明装置１５０ａの角部の近傍に設けられる。この例では、保持部材の角部にノッチが設けられている。ノッチの近傍に接続部材が配置される。これにより、接続部材に接続される配線が配置されるスペースが確保できる。
【００６８】
実施形態において、接続部材のＹ軸方向の位置は、取り付け孔部のＹ軸方向の位置と、Ｘ軸方向に延在する辺のＹ軸方向の位置と、の間にある。これにより、配線が配置されるスペースが確保できる。
【００６９】
（第２の実施形態）  
図５（ａ）〜図５（ｃ）は、第２の実施形態に係る照明装置を例示する模式図である。  図５（ａ）は、平面図である。図５（ｂ）及び図５（ｃ）は、側面図である。  
本実施形態に係る照明装置１５０ｂは、第１保持部材１０と、第２保持部材２０と、発光パネル３０と、第１接続部材５１と、第２接続部材５２と、第３接続部材５３と、を含む。第１保持部材１０、第２保持部材２０及び発光パネル３０については、照明装置１５０ａと同様なので説明を省略する。以下、本実施形態に係る接続部材について説明する。
【００７０】
図６（ａ）〜図６（ｄ）は、第２の実施形態に係る照明装置を例示する模式図である。  図６（ａ）は、第１接続部材５１を示す斜視図である。図６（ｂ）は、第２接続部材５２を示す斜視図である。第３接続部材５３は、第２接続部材５２と同様の構成を有することができる。図６（ｂ）は、第３接続部材５３も示している。図６（ｃ）は、照明装置１５０ｂのうちの第１縁部３１ａを含む一部を拡大して示す平面図（透視図）である。図６（ｄ）は、照明装置１５０ｂのうちの第２縁部３１ｂを含む一部を拡大して示す平面図（透視図）である。
【００７１】
本実施形態に係る照明装置１５０ｂは、第１構造体１１と、第２構造体１２と、第３構造体１３と、を含む。
【００７２】
第１構造体１１、第２構造体１２及び第３構造体１３のそれぞれは、第１保持部材１０と、第２保持部材２０と、の間に設けられる。第１構造体１１、第２構造体１２及び第３構造体１３のそれぞれは、第１保持部材１０と一体的に設けられていてもよい。第１構造体１１、第２構造体１２及び第３構造体１３のそれぞれは、第２保持部材２０と一体的に設けられてもよい。第１構造体１１、第２構造体１２及び第３構造体１３のそれぞれは、第１保持部材１０及び第２保持部材２０とは別部材でもよい。
【００７３】
図６（ａ）に示すように、第１接続部材５１は、第１端部５１ａ及び第２端部５１ｂを含む。図６（ｂ）に示すように、第２接続部材５２は、第３端部５２ａ及び第４端部５２ｂを含む。第３接続部材５３は、第５端部５３ａ及び第６端部５３ｂを含む。
【００７４】
図６（ｃ）に示すように、第１端部５１ａの第１弾性部５１ｅａは、第２方向（Ｘ軸方向）に沿って延在する。第２端部５１ｂにおいて、第２弾性部５１ｅｂから第１構造体１１に向かう方向は、第２方向と交差する方向（例えばＹ軸方向）に沿う。  
図６（ｄ）に示すように、第３端部５２ａの第３弾性部５２ｅａは、第２方向（Ｘ軸方向）に沿って延在する。第４端部５２ｂにおいて、第４弾性部５２ｅｂから第２構造体１２に向かう方向は、第２方向と交差する方向（例えばＹ軸方向）に沿う。  
図６（ｃ）に示すように、第５端部５３ａの第５弾性部５３ｅａは、第２方向（Ｘ軸方向）に沿って延在する。第６端部５３ｂにおいて、第６弾性部５３ｅｂから第３構造体１３に向かう方向は、第２方向と交差する方向（例えばＹ軸方向）に沿う。
【００７５】
この例では、第２端部５１ｂには、Ｘ軸方向に沿って、配線が挿入される。第４端部５２ｂには、Ｘ軸方向に沿って、配線が挿入される。第６端部５３ｂには、Ｘ軸方向に沿って配線が挿入される。
【００７６】
この例でも、第１接続部材５１と第３保持部材辺１０ｓｃとの間の距離は、第１接続部材５１と第４保持部材辺１０ｓｄとの間の距離よりも短い。第１構造体１１と第２弾性部５１ｅｂとの間の距離は、第３保持部材辺１０ｓｃから発光パネル３０に向かう方向に沿って減少する。第２構造体１２と第４弾性部５２ｅｂとの間の距離は、第３保持部材辺１０ｓｃから発光パネル３０に向かう方向に沿って減少する。第３構造体１３と第６弾性部５３ｅｂとの間の距離は、第４保持部材辺１０ｓｄから発光パネル３０に向かう方向に沿って減少する。これにより、それぞれの接続部材において、配線の挿入が容易であり、配線が確実に固定される。
【００７７】
照明装置１５０ｂにおいても、電気的接続が容易で、かつ安定的な接続が可能な照明装置が提供できる。
【００７８】
照明装置１５０ｂにおいては、第１接続部材５１の第２端部５１ｂは、第３保持部材辺１０ｓｃの延長線から、第２方向（Ｘ軸方向）において離間している。第１接続部材５１に挿入される配線のためのスペースが確保できる。
【００７９】
第２端部５１ｂの少なくとも一部は、発光パネル３０の一部と、第３保持部材辺１０ｓｃとの間に位置する。これにより、照明装置１５０ｂのＹ軸方向に沿った幅を小さくできる。
【００８０】
この例では、第１接続部材５１において、第２端部５１ｂの少なくとも一部は、第２方向（Ｘ軸方向）において、第１端部５１ａの少なくとも一部と重なる。接続部材のＹ軸方向の幅を小さくできる。
【００８１】
（第３の実施形態）  
図７（ａ）〜図７（ｃ）は、第３の実施形態に係る照明装置を例示する模式図である。  図７（ａ）は、平面図である。図７（ｂ）及び図７（ｃ）は、側面図である。  
本実施形態に係る照明装置１５０ｃは、第１保持部材１０と、第２保持部材２０と、発光パネル３０と、第１接続部材５１と、第２接続部材５２と、第３接続部材５３と、を含む。第１保持部材１０、第２保持部材２０及び発光パネル３０については、照明装置１５０ａと同様なので説明を省略する。以下、本実施形態に係る接続部材について説明する。
【００８２】
図８（ａ）〜図８（ｄ）は、第３の実施形態に係る照明装置を例示する模式図である。  図８（ａ）は、第１接続部材５１を示す斜視図である。図８（ｂ）は、第２接続部材５２を示す斜視図である。第３接続部材５３は、第２接続部材５２と同様の構成を有することができる。図８（ｂ）は、第３接続部材５３も示している。図８（ｃ）は、照明装置１５０ｃのうちの第１縁部３１ａを含む一部を拡大して示す平面図（透視図）である。図８（ｄ）は、照明装置１５０ｃのうちの第２縁部３１ｂを含む一部を拡大して示す平面図（透視図）である。
【００８３】
本実施形態に係る照明装置１５０ｃは、第１構造体１１と、第２構造体１２と、第３構造体１３と、を含む。
【００８４】
第１構造体１１、第２構造体１２及び第３構造体１３のそれぞれは、第１保持部材１０と、第２保持部材２０と、の間に設けられる。第１構造体１１、第２構造体１２及び第３構造体１３のそれぞれは、第１保持部材１０と一体的に設けられていてもよい。第１構造体１１、第２構造体１２及び第３構造体１３のそれぞれは、第２保持部材２０と一体的に設けられてもよい。第１構造体１１、第２構造体１２及び第３構造体１３のそれぞれは、第１保持部材１０及び第２保持部材２０とは別部材でもよい。
【００８５】
図８（ａ）に示すように、第１接続部材５１は、第１端部５１ａ及び第２端部５１ｂを含む。図８（ｂ）に示すように、第２接続部材５２は、第３端部５２ａ及び第４端部５２ｂを含む。第３接続部材５３は、第５端部５３ａ及び第６端部５３ｂを含む。
【００８６】
この例においても、第２端部５１ｂには、Ｘ軸方向に沿って配線が挿入される。第４端部５２ｂには、Ｘ軸方向に沿って配線が挿入される。第６端部５３ｂには、Ｘ軸方向に沿って配線が挿入される。
【００８７】
この例においては、第２端部５１ｂの少なくとも一部は、発光パネル３０の一部と第１保持部材辺１０ｓａとの間に位置する。これにより、照明装置１５０ｃのＸ軸方向の長さが短くできる。
【００８８】
第２端部５１ｂの少なくとも一部は、第３方向（例えばＹ軸方向）において、第１端部５１ａの少なくとも一部と重なる。すなわち、第１接続部材５１は、Ｙ軸方向において折りたたまれている。照明装置１５０ｃのＹ軸方向の長さが短くできる。
【００８９】
以下、上記の実施形態に用いられる保持部材の例について説明する。  
図９（ａ）〜図９（ｃ）は、実施形態に係る照明装置の一部を例示する模式図である。  図９（ａ）及び図９（ｂ）は、第２保持部材２０を例示する斜視図である。図９（ｃ）は、第１保持部材１０を例示する断面図である。
【００９０】
図９（ａ）に示す例においては、第２保持部材２０は、板状である。
【００９１】
図９（ｂ）に示すように、第２保持部材２０は、枠状でも良い。すなわち、第２保持部材２０は、開口部２０ｈを有する。枠状の第２保持部材２０と、第１保持部材１０との間に、発光パネル３０の外縁領域３０ｒ、第１接続部材５１、第２接続部材５２、第３接続部材５３、接続部材５１Ａ、第１構造体１１、第２構造体１２及び第３構造体１３が配置される。
【００９２】
第２保持部材２０が枠状の場合、開口部２０ｈに、例えば、各種の部材（フィルタなど）を配置することができる。開口部２０ｈに、模様または絵が設けられたシートを配置しても良い。
【００９３】
図９（ｃ）に示すように、第１保持部材１０は、枠状でも良い。すなわち、第１保持部材１０は、開口部１０ｗを有する。枠状の第１保持部材１０と、第２保持部材２０との間に、発光パネル３０の外縁領域３０ｒ、第１接続部材５１、第２接続部材５２、第３接続部材５３、接続部材５１Ａ、第１構造体１１、第２構造体１２及び第３構造体１３が配置される。
【００９４】
第１保持部材１０が枠状の場合、開口部１０ｗに、例えば、各種の部材（フィルタなど）を配置することができる。開口部１０ｗに、模様または絵が設けられたシートを配置しても良い。
【００９５】
発光パネル３０は、一方の面から光を出射しても良く、両方の面から光を出射しても良い。第１導電層４１ｅ及び第２導電層４２ｅの少なくともいずれかは、光透過性を有する。例えば、これらの導電層の少なくともいずれかに、光透過性の導電性化合物（例えば、酸化インジウム錫など）を用いてもよい。
【００９６】
導電層に、実質的に光を透過しない膜（例えば金属膜）を用いる場合には、導電層に開口部（スリットなど）を設けることで、発光部（有機発光層３３）から放出された光を外部に出射させることができる。
【００９７】
図１０は、実施形態に係る照明装置の一部を例示する模式図である。  
図１０は、発光パネル３０を例示している。
【００９８】
図１０に示すように、発光パネル３０は、第１方向（Ｚ軸方向）において有機発光層３３と重なる導電層（第１導電層４１ｅ及び第２導電層４２ｅ）を含む。この例では、導電層（第１導電層４１ｅ）は、光透過性を有する。第１導電層４１ｅは、開口部４１ｅｈを有している。この開口部４１ｅｈから、光が外部に出射可能である。一方、第２導電層４２ｅは、光透過性の導電膜である。有機発光層３３が光を放出していないとき（オフ状態のとき）、発光パネル３０はシースルー型である。
【００９９】
例えば、発光パネル３０は、第１保持部材１０に向けて光（第１光）を出射する。そして、発光パネル３０は、第２保持部材２０に向けて別の光（第２光）を出射する。発光パネル３０は、例えば、両面発光型である。発光パネル３０は片面発光型でも良い。
【０１００】
シースルー型の発光パネル３０と、光透過性の第１保持部材１０及び第２保持部材２０と、を組み合わせたときに、背景に対するシールスルーと同時に、接続部材に対するシースルーが得られ、特に便利となる。
【０１０１】
図２（ａ）に示すように、第１接続部材５１の第１端部５１ａは、Ｙ軸方向において、第１保持部材辺１０ｓａと封止部３５との間に設けられる。第２接続部材５２の第３端部５２ａは、Ｙ軸方向において、第２保持部材辺１０ｓｂと封止部３５との間に設けられる。第１端部５１ａは、導電性で光透過性が低い第１パッド部４１と重なる。第３端部５２ａは、導電性で光透過性が低い第２パッド部４２と重なる。このため、遮光領域の面積が接続部材によって増大することが抑制できる。例えば、照明装置において、高い透明性が得られる。
【０１０２】
第１接続部材５１において、第１部分５１ｐと第２弾性部５１ｅｂとの間、及び、第１構造体１１と第２弾性部５１ｅｂとの間の領域は、光が透過することが好ましい。第２接続部材５２において、第２部分５２ｐと第４弾性部５２ｅｂとの間、及び、第２構造体１２と第４弾性部５２ｅｂとの間の領域は、光が透過することが好ましい。第３接続部材５３において、第３部分５３ｐと第６弾性部５３ｅｂとの間、及び、第３構造体１３と第６弾性部５３ｅｂとの間の領域は、光が透過することが好ましい。これにより、遮光領域の面積が増大できる。例えば、照明装置において、高い透明性が得られる。
【０１０３】
（第４の実施形態）  
図１１（ａ）及び図１１（ｂ）は、第４の実施形態に係る照明装置の一部を例示する模式図である。
【０１０４】
図１１（ａ）に示すように、本実施形態に係る照明装置１５１ａは、第１接続部材５１を含む。第１接続部材５１の第１端部５１ａは、第１弾性部５１ｅａを含む。第１弾性部５１ｅａは、第１縁部３１ａと第２保持部材２０との間に設けられる。第１弾性部５１ｅａは、第１縁部３１ａを第１保持部材１０に向けて押し、第１パッド部４１と電気的に接続される。第１弾性部５１ｅａは、例えば、板バネである。
【０１０５】
第１接続部材５１の第２端部５１ｂは、第１部分５１ｐと、第２弾性部５１ｅｂと、を含む。第２弾性部５１ｅｂは、第１部分５１ｐと第１保持部材１０との間に設けられる。第２弾性部５１ｅｂは、第１保持部材１０に向かう方向の弾性力を有する。
【０１０６】
第２弾性部５１ｅｂは、例えば、板バネである。第１保持部材１０と第２弾性部５１ｅｂとの間に、配線（図示しない）が挿入されることが可能である。配線は、第１保持部材１０と第２弾性部５１ｅｂとにより挟まれ、固定される。配線は、第１保持部材１０と第２弾性部５１ｅｂとによって加わる弾性力により、抜け難い。本実施形態においては、第２接続部材５２、第３接続部材５３及び接続部材５１Ａについても同様の構造となる。
【０１０７】
図１１（ｂ）に示すように、本実施形態に係る照明装置１５１ｂは、第１接続部材５１を含む。第１接続部材５１の第１端部５１ａは、第１弾性部５１ｅａを含む。第１弾性部５１ｅａは、第１縁部３１ａと第２保持部材２０との間に設けられる。第１弾性部５１ｅａは、第１縁部３１ａを第１保持部材１０に向けて押し、第１パッド部４１と電気的に接続される。第１弾性部５１ｅａは、例えば、板バネである。
【０１０８】
第１接続部材５１の第２端部５１ｂは、第１部分５１ｐと、第２弾性部５１ｅｂと、を含む。第２弾性部５１ｅｂは、第１部分５１ｐと第２保持部材２０との間に設けられる。第２弾性部５１ｅｂは、第２保持部材２０に向かう方向の弾性力を有する。
【０１０９】
第２弾性部５１ｅｂは、例えば、板バネである。第２保持部材２０と第２弾性部５１ｅｂとの間に、配線（図示しない）が挿入されることが可能である。配線は、第２保持部材２０と第２弾性部５１ｅｂとにより挟まれ、固定される。配線は、第２保持部材２０と第２弾性部５１ｅｂとによって加わる弾性力により、抜け難い。本実施形態においては、第２接続部材５２、第３接続部材５３及び接続部材５１Ａについても同様の構造となる。
【０１１０】
（第５の実施形態）  
図１２（ａ）〜図１２（ｃ）は、第５の実施形態に係る照明装置を例示する模式図である。図１２（ａ）は、平面図である。図１２（ｂ）及び図１２（ｃ）は、側面図である。  本実施形態に係る照明装置１５２は、第１保持部材１０と、第２保持部材２０と、発光パネル３０と、第１接続部材５１と、第２接続部材５２と、第３接続部材５３と、第１構造体１１と、第２構造体１２と、第３構造体１３と、を含む。
【０１１１】
本実施形態に係る発光パネル３０には、折り曲げ可能なフィルム状の有機ＥＬパネルが用いられる。第１保持部材１０は、第１パネル保持部１０ｐａと、第２パネル保持部１０ｐｂと、を含む。同様に、第２保持部材２０は、第３パネル保持部２０ｐｃと、第４パネル保持部２０ｐｄと、を含む。第１保持部材１０及び第２保持部材２０のそれぞれは、一体的な板状部材ではない。すなわち、発光パネル３０のＸ軸方向における一端は、第１パネル保持部１０ｐａと第３パネル保持部２０ｐｃとの間に保持される。発光パネル３０のＸ軸方向における他端は、第２パネル保持部１０ｐｂと第４パネル保持部２０ｐｄとの間に保持される。発光パネル３０の両端のみが保持され、発光パネル３０の中央部分は保持されていない。このため、発光パネル３０は、図１２（ｃ）に示すように、自在に折り曲げが可能である。
【０１１２】
照明装置１５２においても、電気的接続が容易で、かつ安定的な接続が可能な照明装置が提供できる。
【０１１３】
（第６の実施形態）  
本実施形態は、照明器具に係る。照明器具は、複数の照明装置（上記の実施形態に係るいずれかの照明装置）を含む。
【０１１４】
図１３（ａ）及び図１３（ｂ）は、第６の実施形態に係る照明器具を例示する模式的平面図である。  
図１３（ａ）及び図１３（ｂ）に示すように、本実施形態に係る照明器具２１０及び２１１は、複数の照明装置１５０ａを含む。複数の照明装置１５０ａは、第１方向及び第２方向と交差する方向（Ｙ軸方向）に沿って並ぶ。照明装置１５０ａの代わりに、照明装置１５０ｂを用いても良い。
【０１１５】
照明器具２１０においては、複数の照明装置１５０ａは、直列に接続される。照明器具２１１においては、複数の照明装置１５０ａは、並列に接続される。例えば、正極性の配線ＴＡと、負極性の配線ＴＣと、が接続される。
【０１１６】
図１４（ａ）及び図１４（ｂ）は、第６の実施形態に係る別の照明器具を例示する模式的平面図である。  
図１４（ａ）及び図１４（ｂ）に示すように、本実施形態に係る照明器具２３０及び２３１は、複数の照明装置１５０ｃを含む。複数の照明装置１５０ｃは、第２方向（Ｘ軸方向）に沿って並ぶ。
【０１１７】
照明器具２３０においては、複数の照明装置１５０ｃは、直列に接続される。照明器具２３１においては、複数の照明装置１５０ｃは、並列に接続される。例えば、正極性の配線ＴＡと、負極性の配線ＴＣと、が接続される。配線ＴＡ及び配線ＴＣによる電気的接続は、一端だけでもよく、両端でもよい。両端を接続した場合には、電圧降下によって明るさが異なることを抑制でき、発光を均一化することができる。
【０１１８】
本実施形態に係る照明器具によれば、電気的接続が容易で、かつ安定的な接続が可能な照明器具が提供できる。
【０１１９】
図１５は、第６の実施形態に係る別の照明器具の一部を例示する模式的平面図である。
本実施形態に係る照明器具２３２においては、例えば、複数の照明装置１５０ｂが直列または並列に接続される。
【０１２０】
複数の照明装置１５０ｂのそれぞれは、第２保持部材２０を含む。第２保持部材２０の上部４隅のそれぞれには、開口部２０ｄが設けられる。
【０１２１】
図１５に示すように、一方の照明装置１５０ｂの第１接続部材５１と、他方の照明装置１５０ｂの第３接続部材５３とが対向して配置されている。一方の照明装置１５０ｂの第２保持部材２０には、第１接続部材５１の第２端部５１ｂに対応する位置に開口部２０ｄが設けられている。開口部２０ｄにおいては、第２弾性部５１ｅｂ、第１部分５１ｐ及び第１構造体１１が露出する。他方の照明装置１５０ｂの第２保持部材２０には、第３接続部材５３の第６端部５３ｂに対応する位置に開口部２０ｄが設けられている。開口部２０ｄにおいては、第６弾性部５３ｅｂ、第３部分５３ｐ及び第３構造体１３が露出する。なお、ここでは図示しないが、第２接続部材５２の第４端部５２ｂに対応する位置にも開口部２０ｄが設けられている。
【０１２２】
これにより、配線ＴＥを、第２保持部材２０の上部から挿し込んで配置することができる。配線ＴＥの一端は、第２弾性部５１ｅｂと第１構造体１１との間に固定される。配線ＴＥの他端は、第６弾性部５３ｅｂと第３構造体１３との間に固定される。
【０１２３】
本実施形態の構造は、照明装置１５０ｂに限らず、照明装置１５０ａ、１５０ｃ、１５２にも同様に適用することができる。
【０１２４】
実施形態によれば、電気的接続が容易で、かつ安定的な接続が可能な照明装置及び照明器具が提供される。
【０１２５】
以上、具体例を参照しつつ、本発明の実施の形態について説明した。しかし、本発明の実施形態は、これらの具体例に限定されるものではない。例えば、照明装置に含まれる保持部材、発光パネル、接続部材及び構造体などの各要素の具体的な構成に関しては、当業者が公知の範囲から適宜選択することにより本発明を同様に実施し、同様の効果を得ることができる限り、本発明の範囲に包含される。
【０１２６】
また、各具体例のいずれか２つ以上の要素を技術的に可能な範囲で組み合わせたものも、本発明の要旨を包含する限り本発明の範囲に含まれる。
【０１２７】
その他、本発明の実施の形態として上述した照明装置及び照明器具を基にして、当業者が適宜設計変更して実施し得る全ての照明装置及び照明器具も、本発明の要旨を包含する限り、本発明の範囲に属する。
【０１２８】
その他、本発明の思想の範疇において、当業者であれば、各種の変更例及び修正例に想到し得るものであり、それら変更例及び修正例についても本発明の範囲に属するものと了解される。
【０１２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３０】
１０…第１保持部材、  １０ｆａ、１０ｆｂ…第１、第２面、  １０ｈ…孔、  １０ｓａ〜１０ｓｄ…第１〜第４保持部材辺、  １０ｗ…開口部、  １０ｐａ、１０ｐｂ…第１、第２パネル保持部、  １１〜１３…第１〜第３構造体、  １５ａ〜１５ｄ…取り付け孔部、  ２０…第２保持部材、  ２０ｆａ、２０ｆｂ…第３、第４面、  ２０ｈ、２０ｄ…開口部、  ２０ｐｃ、２０ｐｄ…第３、第４パネル保持部、  ３０…発光パネル、  ３０ｒ…外縁領域、  ３１…基板、  ３１ａ、３１ｂ…第１、第２縁部、  ３１ｓａ、３１ｓｂ…第１、第２パネル辺、  ３２…第２キャリア注入層、  ３３…有機発光層、  ３４…第１キャリア注入層、  ３５…封止層、  ４１…第１パッド部、  ４１ｅ…第１導電層、  ４１ｅｈ…開口部、  ４２…第２パッド部、  ４２ｅ…第２導電層、  ５１…第１接続部材、  ５１Ａ…接続部材、  ５１ａ、５１ｂ…第１、第２端部、  ５１ｅａ、５１ｅｂ…第１、第２弾性部、  ５１ｐ…第１部分、  ５２…第２接続部材、  ５２ａ、５２ｂ…第３、第４端部、  ５２ｅａ、５２ｅｂ…第３、第４弾性部、  ５２ｐ…第２部分、  ５３…第３接続部材、  ５３ａ、５３ｂ…第５、第６端部、  ５３ｅａ、５３ｅｂ…第５、第６弾性部、  ５３ｐ…第３部分、  １５０ａ〜１５０ｃ、１５１ａ、１５１ｂ、１５２…照明装置、  ２１０、２１１、２３０、２３１、２３２…照明器具、  ＴＡ、ＴＣ、ＴＥ…配線
【図１】
2016178042.tif 000003
【図２】
2016178042.tif 000004
【図３】
2016178042.tif 000005
【図４】
2016178042.tif 000006
【図５】
2016178042.tif 000007
【図６】
2016178042.tif 000008
【図７】
2016178042.tif 000009
【図８】
2016178042.tif 000010
【図９】
2016178042.tif 000011
【図１０】
2016178042.tif 000012
【図１１】
2016178042.tif 000013
【図１２】
2016178042.tif 000014
【図１３】
2016178042.tif 000015
【図１４】
2016178042.tif 000016
【図１５】
2016178042.tif 000017